(57)【要約】【課題】吸収性物品に対して適切な位置に取り付けることができる排泄検知装置を提供する。【解決手段】吸収性物品４に取り付けられて、吸収性物品４の雰囲気情報を検出する排泄検知装置１０であって、排泄検知装置１０は、雰囲気情報を検出するセンサ部７１と、センサ部７１を内蔵するハウジング８０とを備える。ハウジング８０には、吸収性物品４に対して排泄検知装置１０が取り付けられる取り付け位置を図示する図示部８２が設けられる。【選択図】図２
2019141279.tif 000002
【特許請求の範囲】
【請求項１】
吸収性物品に取り付けられて、前記吸収性物品の雰囲気情報を検出する排泄検知装置であって、
前記排泄検知装置は、
前記雰囲気情報を検出するセンサ部と、
前記センサ部を内蔵するハウジングとを備え、
前記ハウジングには、前記吸収性物品に対して前記排泄検知装置が取り付けられる取り付け位置を図示する図示部が設けられる
ことを特徴とする排泄検知装置。
【請求項２】
前記図示部は、前記吸収性物品の形状を表す第一図形と、前記第一図形における前記取り付け位置に対応する部位に前記排泄検知装置の形状を表す第二図形とを表示する、
請求項１に記載の排泄検知装置。
【請求項３】
前記ハウジングは、前記センサ部の一部が外部に露出する検出口を、前記第一図形における前記取り付け位置に対応する部位に有する
請求項２に記載の排泄検知装置。
【請求項４】
前記吸収性物品は、前身頃、後身頃および前記前身頃と前記後身頃との間に位置する股下部から構成され、
前記取り付け位置が、前記股下部である
請求項１〜３のいずれか１項に記載の排泄検知装置。
【請求項５】
請求項１〜４のいずれか１項に記載された排泄検知装置を取り付ける前記取り付け位置を案内する案内部を備え、
前記案内部は、前記排泄検知装置が前記股下部に取り付けられるように案内する、
ことを特徴とする吸収性物品。
【請求項６】
吸水性を有する内装体と、
前記内装体の非肌面側に配置される外装体とを備え、
前記案内部が前記外装体の肌面側に設けられる、請求項５に記載の吸収性物品。
【発明の詳細な説明】
【技術分野】
【０００１】
本件は、排泄を検知する装置およびこの装置が取り付けられる吸収性物品に関する。
【背景技術】
【０００２】
近年、吸収性物品を装着した着用者の排泄に関する情報を報知する技術が開発されている。この技術では、センサを有する排泄検知装置が吸収性物品に取り付けられて、この排泄検知装置によって着用者の排泄に関する情報が検出される。そして、この検出情報が報知部によって報知される（たとえば、特許文献１参照）。
【先行技術文献】
【特許文献】
【０００３】
【特許文献１】特許３１３６４３８号公報
【発明の概要】
【発明が解決しようとする課題】
【０００４】
本件は、吸収性物品に対して適切な位置に取り付けることができる排泄検知装置を提供することを目的の一つとする。なお、この目的に限らず、後述する「発明を実施するための形態」に示す各構成から導き出される作用および効果であって、従来の技術では得られない作用および効果を奏することも、本件の他の目的として位置付けることができる。
【課題を解決するための手段】
【０００５】
ここで開示する排泄検知装置は、吸収性物品に取り付けられて、前記吸収性物品の雰囲気情報を検出する排泄検知装置であって、前記排泄検知装置は、前記雰囲気情報を検出するセンサ部と、前記センサ部を内蔵するハウジングとを備え、前記ハウジングには、前記吸収性物品に対して前記排泄検知装置が取り付けられる取り付け位置を図示する図示部が設けられる。
【発明の効果】
【０００６】
本件で示す排泄検知装置によれば、吸収性物品に対して適切な位置に取り付けることができる。
【図面の簡単な説明】
【０００７】
【図１】実施形態に関するセンサ装置（排泄検知装置）およびこのセンサ装置が取り付けられる紙おむつ（吸収性物品）を示す分解斜視図である。
【図２】実施形態に関するセンサ装置を示す平面図である。
【図３】実施形態に関する報知システムの前提となる基本的な構成を示す模式図である。
【図４】実施形態に関する報知システムの制御に関する詳細な構成を示すブロック図である。
【図５】変形例に関するセンサ装置を示す平面図である。
【発明を実施するための形態】
【０００８】
以下、実施形態としてのセンサ装置（排泄検知装置）およびこのセンサ装置が用いられる情報処理システムを含む報知システム，報知方法ならびにプログラムおよびこのプログラムが記録された記録媒体について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【０００９】
本実施形態のセンサ装置は、吸収性物品に取り付けられる。吸収性物品は、排泄を十分に自己管理することができない成人や幼児などの着用者に装着される衛生用品である。この吸収性物品は、着用者から排泄される尿便や糞便といった糞尿をはじめ、経血やおりものを吸収あるいは保持する。吸収性物品としては、テープ型やパンツ型の紙おむつ（いわゆる「使い捨ておむつ」）あるいは布おむつ，尿パッド，生理用ナプキン，パンティーライナーなどが挙げられる。
【００１０】
本実施形態においては、パッドと紙おむつとの組み合わせで使用される複合体も吸収性物品とする。すなわち、ISO15621に規定されているように、内装体としての尿パッド(補助パッド)を外装体としての紙おむつによって装着者または装着位置に保持する使用例において、尿パッドおよび紙おむつの複合体も吸収性物品とする。
【００１１】
なお、吸収性物品へのセンサ装置の取り付けには、吸収性物品に対してセンサ装置を直接的に取り付けることはもちろん、吸収性物品が取り付けられる下着や補助具（ホルダーパンツ）に対してセンサ装置を間接的に取り付けることも含まれるものとする。
【００１２】
以下の実施形態では、吸収性物品としてテープ型の紙おむつを例示する。この紙おむつについては、着用者の腹部に対向して配置される前身頃と背部に対向して配置される後身頃とを結ぶ方向を長手方向とする。これらの前身頃（長手方向の一側）と後身頃（長手方向の他側）との間（長手方向の中央）には、着用者の股下に配置（股間に対向して配置）される股下部が位置する。また、紙おむつが着用者に装着された状態（以下「装着状態」と略称する）において、着用者の肌に向かう側（装着状態で内側）を肌面側とし、肌面側の反対側（装着状態で外側）を非肌面側とする。さらに、肌面側と非肌面側とを結ぶ方向を厚み方向とし、長手方向と厚み方向の何れにも直交する方向を幅方向とする。センサ装置についても、取り付けられる紙おむつの各方向を用いる。そのほか、厚み方向から視ることを平面視とする。
また、本実施形態では、特に断らない限り「数値Ｘ〜数値Ｙ」なる表記が「数値Ｘ以上であって数値Ｙ以下である」ことを意味する。
【００１３】
［１．構成］
図面を参照して、吸収性物品４，この吸収性物品４に取り付けられるセンサ装置１０，このセンサ装置１０を用いた報知システム１の構成の順に述べる。
【００１４】
［１−１．吸収性物品］
まず、図１を参照して、吸収性物品４の構成を説明する。
【００１５】
図１に示すように、本実施形態のセンサ装置１０が取り付けられる吸収性物品４は、紙おむつ５（外装体）に加えて吸水性の尿パッド６（内装体）を備えている。この紙おむつ５は、装着者に対して尿パッド６を固定する装着具とも言える。
【００１６】
吸収性物品４では、紙おむつ５に対して肌面側であって尿パッド６の非肌面側にセンサ装置１０が配置される。このように紙おむつ５と尿パッド６との間にセンサ装置１０が配置された吸収性物品４を「センサ付き吸収性物品」と呼ぶ。
【００１７】
〔尿パッド〕
尿パッド６では、シート状あるいはマット状の部材が積層されている。積層される各部材は、尿パッド６での蒸れを抑えるために、通気性すなわち透湿性をもつ。つまり、尿パッド６は通気性を有している。
この尿パッド６には、前身頃，股下部および後身頃の三つの領域が長手方向に沿って配置され、これらの三領域に跨って図示しない吸収体が内蔵されている。
【００１８】
吸収体は、液体を吸収して保持するマット状の部材である。たとえば、粉砕あるいは解繊されたパルプ（いわゆる「フラッフパルプ」）に高吸水性樹脂（いわゆるＳＡＰ〈Super Absorbent Polymer〉とも称される）が混合されたコアがラップシートで被包（ラップ）されたコアラップやこのコアラップに防水透湿シート（バックシート）が積層された積層体が吸収体として用いられる。
【００１９】
また、尿パッド６の最も非肌面側には、吸収体を非肌面側から被覆するようにカバーシートが積層されている。カバーシートは、尿パッド６を補強するとともに触感（たとえば手触り）を向上させるために設けられる。なお、カバーシートは、単層構造に限らず、インナ―カバーシートおよびアウターカバーシートを有する多層構造であってもよい。
このカバーシートの非肌面側には、つぎに説明するセンサ装置１０が配置される。
【００２０】
〔紙おむつ〕
紙おむつ５は、前身頃５Ａ，股下部５Ｂおよび後身頃５Ｃの三つの領域が長手方向に沿って配置されている。また、紙おむつ５には、センサ装置１０を所定の位置に案内する案内部５１が設けられている。ここでいう「所定の位置」とは、センサ装置１０の検出精度を確保する観点や紙おむつ５の着用者に対する圧迫や摩擦，違和感などを抑える観点などに基づいて設定される、紙おむつ５に対するセンサ装置１０の適正位置である。本実施形態では、紙おむつ５の股下部５Ｂに「所定の位置」が設定される。より具体的には、股下部５Ｂにおいて、長手方向および幅方向の中央位置に「所定の位置」が設定されて、センサ装置１０が取り付けられる。
【００２１】
案内部５１は、紙おむつ５の肌面側に表示された絵柄として構成される。たとえば、センサ装置１０の輪郭線や矢印，十字形の印（いわゆる「トンボ」）といった種々の絵柄を案内部５１に用いることができる。ただし、案内部５１は絵柄に限らず、センサ装置１０に対応する大きさの凹部や折線といった案内構造を案内部５１に採用してもよい。
【００２２】
［１−２．センサ装置］
つぎに、図２を参照して、センサ装置１０の構成を説明する。
図２に示すように、センサ装置１０には、吸収性物品４における雰囲気の情報（以下「雰囲気情報」と略称する）を検出するセンサ部７１と、センサ部７１を内蔵するハウジング８０とを備えている。また、ハウジング８０は、センサ部７１に給電するバッテリ７３（電源機器）を内蔵している。
【００２３】
図１に示すように、センサ装置１０には、吸収性物品４への取付用として、紙おむつ５における肌面側の外表面に着脱可能な取付部６０が貼着されている。取付部６０は、後述する電源ボタン７４，インジケータ７５，検出口８１および図示部８２とは対向する側の主面に設けられている。すなわち、センサ装置１０は、非肌面側に設けられた取付部６０で吸収性物品４に取り付けられる。なお、取付部６０で取り付けられたセンサ装置１０は、非肌面側の紙おむつ５に対して固定されるだけで、肌面側の尿パッド６に対しては固定されていない。
【００２４】
センサ装置１０は、紙おむつ５の股下部５Ｂに取り付けられる。また、紙おむつ５に固定されたセンサ装置１０の肌面側には、センサ部７１の一部が露出して、その露出部位が尿パッド６に対して対向して配置される。
【００２５】
そのほか、センサ装置１０には、取付姿勢で肌面側を向いて配置された電源ボタン７４や、センサ装置１０の作動状態を示すインジケータ７５（ここでは電源ボタン７４の左右に二つ）が設けられる。
【００２６】
電源ボタン７４を押圧操作することで、センサ装置１０がＯＮ状態となり、湿度・温度が所定の周期で検出され、検出された湿度・温度の情報が所定の周期で送信される。また、インジケータ７５は、センサ装置１０の作動状態に応じて表示色や点滅パターンを変化させる。
【００２７】
〔取付部〕
取付部６０は、吸収性物品４と互いに貼着するファスニング機構を構成している。ファスニング機構として、フック材（雄部材）とループ材（雌部材）との機械的結合により固定する面ファスナーを用いることができる。
【００２８】
面ファスナーは、表面に多数の突起（たとえば鉤状やきのこ状など）が形成されたフック材と、表面にループ状の繊維が配置されたループ材との組み合わせにより構成される。すなわち、吸収性物品４および取付部６０のうちの何れか一方にフック材が設けられ、他方にループ材が設けられる。面ファスナーを用いることで、フック材およびループ材を剥離可能な状態としつつ強固に貼着させることができ、繰り返して使用することもできる。本実施形態では、フック材を有する面ファスナーを取付部６０として用いる場合を例示する。
【００２９】
なお、センサ装置１０に貼着される面ファスナーは、ハウジング８０の外表面において一部に限らず、全部の外表面に設けられてもよい。さらに言えば、センサ装置１０のハウジング８０が面ファスナーで構成されていてもよい。また、面ファスナーの着脱先は、紙おむつ５に限らず、尿パッド６であってもよい。
【００３０】
あるいは、センサ装置１０のハウジング８０と紙おむつ５とを接続するためには、面ファスナーに替えてまたは加えて、別体の粘着剤や粘着テープなどの接続部を用いてもよい。テープを用いる場合には、センサ装置１０の少なくとも一部を覆うとともに、センサ装置１０よりも長いまたは大きいテープを用いて、センサ装置１０の肌面側からセンサ装置１０とともにテープを貼り付けてもよい。このとき、センサ部７１の検出精度を確保する観点から、後述する検出部７２が露出した状態でテープをセンサ装置１０や紙おむつ５に貼り付けることが好ましい。そのため、穴（開口部）の設けられたテープを用いれば、検出部７２と穴の位置とを重ね合わせつつテープを貼り付けることで、センサ部７１の検出精度を確保しつつ紙おむつ５に対してセンサ装置１０を確実に貼り付けることができる。
【００３１】
〔ハウジング〕
ハウジング８０は、センサ部７１およびバッテリ７３を内蔵する筐体である。ハウジング８０は、センサ部７１およびバッテリ７３を内蔵するための所定の厚みを有する板状の形状を有する。また、ハウジング８０は、平面視で長方形状の略直方体形状を有している。さらに、ハウジング８０は、その角部分がラウンド加工されている。このように、ハウジング８０の形状は、内部の容積を確保しながら、着用者が受ける異物感を抑えられるようになっている。
【００３２】
ハウジング８０は、内蔵されるセンサ部７１およびバッテリ７３を水分から保護するために防水性を有するものの、通気性は無い。そのほか、ハウジング８０は、衛生機器に要求される基本的な性能をもつ。たとえば、尿便が排泄される吸収性物品４にセンサ装置１０が取り付けられることから、耐水性あるいは撥水性やアンモニアに対する耐性をハウジング８０にもたせることが好ましい。また、センサ装置１０を繰り返して使用する際に清潔性を確保する観点から、次亜塩素酸などの殺菌剤に対する耐薬品性や抗菌性をハウジング８０にもたせることが好ましい。さらに、視認性を向上させる観点から、蓄光性，蛍光性あるいは発光性をハウジング８０にもたせてもよい。
【００３３】
また、着用者に対するセンサ装置１０の異物感を軽減させるために、内蔵された機器の保護性を確保した剛度をもたせたうえでハウジング８０の剛度を低下させてもよいし、センサ装置１０の浸水を考慮して機器を内蔵したハウジング８０（すなわちセンサ装置１０）に浮力をもたせてもよい。
【００３４】
なお、図１および図２では、平面視で略長方形をなすハウジング８０を例示するが、内蔵されるセンサ部７１やバッテリ７３の形状あるいは大きさ，設計上や意匠上の要求などに応じて種々の形状や大きさのハウジング８０を採用することができる。たとえば、着用者に対するセンサ装置１０の異物感を軽減させる観点から、平面視で円形，楕円形または卵形などの滑らかな表面形状のハウジング８０を採用することができる。また、着用者によるセンサ装置１０の誤飲を防止する観点から、少なくとも一方向の寸法が所定寸法よりも大きいハウジング８０を採用することもできる。
【００３５】
ハウジング８０には、検出口８１が穿設されている。検出口８１は、センサ部７１が設けられるハウジング８０の内部と外部とを連通する開口部である。センサ部７１は、検出口８１を介して、検出部７２により雰囲気情報を検出することができる。
【００３６】
図２に示すように、センサ装置１０では、電源ボタン７４，インジケータ７５，検出口８１および図示部８２が、ハウジング８０の一主面側に設けられている。具体的には、ハウジング８０の一端側に電源ボタン７４およびインジケータ７５が設けられている。また、ハウジング８０の他端側に図示部８２が設けられている。さらに、電源ボタン７４およびインジケータ７５と、図示部８２とに挟まれた位置に、検出口８１が設けられている。このように、電源ボタン７４、インジケータ７５および検出口８１が同一面側に設けられていることで、検出部７２が尿パッド６に対向するようにセンサ装置１０を取り付けた場合に、センサ装置１０を取り付けた状態で電源ボタン７４を操作することができるとともに、インジケータ７５により作動状態を確認することができる。また、検出口８１および図示部８２が同一面側に設けられていることで、検出部７２が尿パッド６に対向するようにセンサ装置１０を取り付ける場合に、使用者が図示部８２を見て、取り付け位置を確認しながら、センサ装置１０を裏返したりせずにそのままの状態でセンサ装置１０を取り付けることができる。また、検出部７２が尿パッド６に対向するようにセンサ装置１０を取り付けた後に、使用者が図示部８２を見て取り付け位置が適切であることを確かめることができる。すなわち、電源ボタン７４，インジケータ７５，検出口８１および図示部８２は、いずれもハウジング８０およびセンサ装置１０の肌面側に設けられている。
【００３７】
〔図示部〕
ハウジング８０には、一主面側に図示部８２が設けられている。図示部８２は、吸収性物品４に対してセンサ装置１０が取り付けられる取り付け位置を図示するものである。特には、紙おむつ５に対するセンサ装置１０が取り付けられる取り付け位置を図示するものである。ハウジング８０による図示は特に限定されず、例えば、ハウジング８０に取り付け位置を示す図形を印刷または描画してもよく、取り付け位置を示す図形を印刷したシールなどの印刷物を貼り付けてもよく、ハウジング８０に取り付け位置を示す凹凸形状を設けてもよく、これらを組み合わせてもよい。
【００３８】
図示部８２は、紙おむつ５の平面視の形状を表す第一図形８３と、第一図形８３における取り付け位置に対応する部位にセンサ装置１０の平面視の形状を表す第二図形８４とを表示する。ここでは、ハウジング８０の長手方向と、第一図形８３の長手方向とが一致するようにして、第一図形８３を表示している。これにより、図示部８２をハウジング８０に大面積で表示できるようになっている。さらに、紙おむつ５に対するセンサ装置１０の取り付け位置と、第一図形８３に対する第二図形８４の位置が一致するようにして、第二図形８４を表示している。これにより、第一図形８３と第二図形８４との取り付け位置の関係が、紙おむつ５およびセンサ装置１０の関係と一致するようになっている。また、ハウジング８０および第一図形８３の長手方向の向きと、第二図形８４の長手方向の向きとが一致するようにして、第二図形８４を表示している。これにより、第一図形８３と第二図形８４との向きの関係が、紙おむつ５およびセンサ装置１０の関係と一致するようになっている。
【００３９】
本実施形態では、センサ装置１０の取り付け位置が、股下部５Ｂの中央位置である。そして、第二図形８４は、第一図形８３における股下部５Ｂの中央位置に対応する部位に表示されている。これにより、使用者は、図示部８２を見て紙おむつ５にセンサ装置１０の取り付けを行うことで、センサ装置１０を股下部５Ｂの中央位置に取り付けることができる。
【００４０】
なお、本実施形態では、上述した第一図形８３と第二図形８４を表示する場合を例示するが、図示部８２は取り付け位置を図示するものであれば適宜変更してもよい。たとえば、第一図形８３を表示するとともに、第一図形８３における取り付け位置に対応する部位に、取り付け位置を指し示す矢印を表示してもよい。または、第一図形８３における取り付け位置に対応する部位に、丸、三角、四角、星型などの図形または記号を表示してもよい。さらに、これらの取り付け位置の表示は、ハウジング８０または第一図形８３とは異なる色で表示するようにしてもよい。
【００４１】
〔センサ部〕
センサ部７１は、雰囲気情報を検出して出力するセンサユニットである。センサ部７１は、雰囲気情報を検出するセンシング部位である検出部７２を有している。センサ部７１は、検出部７２で検出した雰囲気情報を、後述するコンピュータ１００に出力する。
【００４２】
センサ部７１は、一部が露出した状態でハウジング８０の内部に配置されている。具体的には、センサ部７１は、ハウジング８０に内蔵されるとともに、ハウジング８０に設けられた検出口８１の位置に、検出部７２（露出部位）が配置されている。そのため、取り付けられた状態のセンサ装置１０では、肌面側に露出した状態の検出部７２が雰囲気情報を検出する。具体的に言えば、静電容量型の検出部７２が用いられており、この検出部７２で静電容量が検出される。そして、センサ部７１によって、検出された静電容量に対応する雰囲気情報が演算処理される。
【００４３】
ここで説明するセンサ部７１は、雰囲気情報として、検出部７２と着用者との間に位置する吸収性物品４の湿度および温度を検出する。そのため、以下の説明では、雰囲気情報として検出される湿度および温度をまとめて湿度・温度と呼ぶ。なお、センサ部７１およびセンサ装置１０の検出対象には、湿度・温度に限らず、臭いや特定物質の有無といった他の対象が含まれてもよい。
【００４４】
［１−３．報知システム］
つづいて、図３および図４を参照して、報知システム１を説明する。
まず、図３を参照して、報知システム１の前提となるコンピュータ１００の基本構成を述べる。なお、ここでいうコンピュータ１００には、据え置き型やモバイル型のパーソナルコンピュータのほか、いわゆるタブレットやスマートフォンなどの多機能携帯端末などが含まれる。
【００４５】
コンピュータ１００には、ＣＰＵ（Central Processing Unit）やＭＰ（Multi Processor）などの演算部１１０と、ＲＯＭ（Read Only Memory）やＲＡＭ（Random Access Memory）などのメモリ１２０（蓄積部）と、ＨＤＤ（Hard Disk Drive），ＳＳＤ（Solid State Drive），光学ドライブ，フラッシュメモリ，リーダライタなどの外部記憶装置１２１，キーボードやマウスなどの入力装置１２２，ディスプレイやプリンタ装置などの出力装置１２３，無線または有線で送受信する通信装置１２４が設けられる。これらの各デバイス１１０，１２０，１２１，１２２，１２３，１２４は、コンピュータ１００の内部に設けられた制御バスやデータバスなどのバス１２５を介して互いに通信可能に接続される。
【００４６】
このコンピュータ１００は、プログラム１２６を実行可能な汎用のコンピュータである。このプログラム１２６は、外部記憶装置１２１にインストールされる。
なお、光学ドライブ，フラッシュメモリ，リーダライタなどで読み取り可能な記録媒体１２７にプログラム１２６を記録しておいてもよい。あるいは、コンピュータ１００が接続可能なネットワーク上のオンラインストレージ１２８（蓄積部）にプログラム１２６を記録しておいてもよい。何れにしても、コンピュータ１００の外部記憶装置１２１にプログラム１２６をダウンロードする、あるいは、演算部１１０やメモリ１２０にプログラム１２６を読み込むことで、プログラム１２６が実行可能であればよい。
【００４７】
つづいて、図４を参照して、報知システム１の制御に関する詳細な構成を述べる。
この報知システム１には、コンピュータ１００の入力側に上述したセンサ装置１０が設けられ、コンピュータ１００の出力側に報知部１３０が設けられる。これらのセンサ装置１０および報知部１３０とコンピュータ１００とは、ｂｌｕｅｔｏｏｔｈ（登録商標）やｗｉｆｉなどの無線あるいは有線で情報伝達可能に接続される。ここでは、湿度・温度がセンサ装置１０からコンピュータ１００に伝達され、伝達された湿度・温度に基づいて報知部１３０で報知する情報をコンピュータ１００が演算する。
【００４８】
なお、報知システム１は、単数の着用者だけでなく、複数の着用者に対して適用することができる。すなわち、複数人の着用者に装着される吸収性物品４のそれぞれにセンサ装置１０が取り付けられ、各センサ装置１０からコンピュータ１００に湿度・温度が入力されてもよい。この場合には、着用者のそれぞれを識別するためのＩＤ情報が各センサ装置１０からコンピュータ１００に出力され、ＩＤ情報のそれぞれに紐付けられた湿度・温度がコンピュータ１００に入力される。
【００４９】
〔コンピュータ〕
コンピュータ１００では、センサ装置１０から伝達された湿度・温度が上述したメモリ１２０に記憶（蓄積）される。あるいは、センサ装置１０から伝達された湿度・温度がデータサーバなどのオンラインストレージ１２８に蓄積されてもよい。この場合には、オンラインストレージ１２８に蓄積された湿度・温度にコンピュータ１００からアクセス可能なものとする。
【００５０】
つづいて、メモリ１２０あるいはオンラインストレージ１２８に記憶された湿度・温度に基づいて着用者の排泄に関する情報（以下「排泄情報」という）が演算部１１０で演算される。そして、演算部１１０で演算された排泄情報が報知部１３０に出力される。
以下、メモリ１２０，演算部１１０，報知部１３０の順に各構成を詳述する。
【００５１】
〔メモリ〕
メモリ１２０には、センサ装置１０から湿度・温度が所定の周期で伝達される。すなわち、センサ装置１０は、所定の周期で湿度・温度をコンピュータ１００に出力する。そして、メモリ１２０は、各周期で伝達された湿度・温度を記憶し蓄積する。
なお、ここでいう所定の周期は、１秒，５秒，３０秒，１分，５分といった種々の周期に設定される。更に言えば、所定の周期は、一定の周期に限らず、可変の周期であってもよい。
【００５２】
〔演算部〕
演算部１１０は、メモリ１２０に記憶された湿度・温度の変動に基づいて排泄情報を演算する。排泄情報としては、例えば、排泄の有無，排泄時点，排泄物の種類，着用者の不快度などが挙げられる。
なお、演算部１１０は、湿度・温度のうち一方の変動に基づいて排泄情報を演算してもよい。この場合にセンサ装置１０で検出する雰囲気情報は、湿度または温度だけでよい。このように雰囲気情報が一種の場合には、センサ装置１０を簡素な構成とすることができる。これに対し、雰囲気情報が湿度および温度の二種の場合には、排泄情報の精度を確実に確保することができ、更に言えば、排泄物の種類や性状を推定することも可能となる。
【００５３】
演算部１１０には、排泄情報を演算するために、所望の機能要素が設けられている。この機能要素は、実行されるプログラム１２６の一部の機能を示すものであり、ソフトウェアで実現されるものとする。ただし、各機能の一部または全部をハードウェア（電子回路）で実現してもよく、あるいはソフトウェアとハードウェアとを併用して実現してもよい。
【００５４】
演算部１１０による排泄情報の演算処理を上記のプログラム１２６によりコンピュータ１００が実行する。そして、演算部１１０は、演算された排泄情報を報知部１３０に出力する。
【００５５】
〔報知部〕
報知部１３０は、着用者またはこの着用者を介護する介護者に排泄情報を報知するデバイスである。報知部１３０は、演算部１１０から出力された排泄情報を受信して、受信した排泄情報を報知することができる。
【００５６】
この報知部１３０としては、視覚的に表示（報知）するディスプレイやライトなどの表示部，視覚的に報知するスピーカやブザーなどの発音器，触覚的に報知するバイブレータ（振動器）といったデバイスが挙げられる。
上記の報知部１３０で報知される介護者としては、成人や幼児などの着用者を介護または育児する介護士やヘルパー，親族などが挙げられる。
【００５７】
そのほか、報知部１３０での報知態様を上述したコンピュータ１００で制御してもよい。たとえば、排泄物の有無や排泄時点，排泄物の種類，着用者の不快度などに応じて、報知する表示内容，音種，振動パターンなどをコンピュータ１００で制御してもよい。
【００５８】
報知部１３０がディスプレイである場合には、各種の排泄情報の一覧表示やその表示順，各種の排泄情報のうちの一部の表示といった態様をコンピュータ１００で制御してもよい。更に言えば、複数の着用者に装着される吸収性物品４のそれぞれにセンサ装置１０が取り付けられる場合に、各センサ装置１０に紐付けられた着用者と上述した各種の排泄情報との一覧表示や、この一覧表示で経過時間ｔの長短や不快度の度合いなどに応じた各排泄情報の昇順または降順の表示（ソート表示）といった態様をコンピュータ１００で制御してもよい。このような表示態様の制御処理は、上記のプログラム１２６によりコンピュータ１００で実行される。
【００５９】
本実施形態の報知システム１によれば、センサ装置１０で検出された湿度・温度の変動に応じた排泄情報を演算部１１０で演算して、報知部１３０で報知することができる。
【００６０】
［２．作用および効果］
上述したように本実施形態が構成されるため、以下のような作用および効果を得ることができる。
【００６１】
センサ装置は、紙おむつへの取り付け位置によっては、着用者に対する違和感が増したり、着用者の皮膚への圧迫や摩擦を与えたりすることがある。また、取り付け位置によっては、センサ装置により雰囲気情報を期待通りに検出できない場合がある。このため、センサ装置を紙おむつの適切な位置に取り付けることが求められる。そこで、例えば、センサ装置を梱包するパッケージや、このパッケージに同梱する取扱説明書に、センサ装置の取り付け位置を記載して指示することが行われている。しかしながら、センサ装置はパッケージから取り出して、洗浄や消毒などを受けて繰り返し使用されることがあり、パッケージや取扱説明書と常に一緒に使用されるわけではない。このため、パッケージや取扱説明書の無い状態でセンサ装置の取り付けを行う場合があり、この場合は取り付け位置を指示することができず、センサ装置が適切な位置に取り付けられないことがあった。
【００６２】
（１）センサ装置１０は、ハウジング８０に、紙おむつ５に対してセンサ装置１０が取り付けられる取り付け位置を図示する図示部８２が設けられている。これにより、ハウジング８０を使用する者が図示部８２を目にすることで、紙おむつ５に対するセンサ装置１０の取り付け位置を容易に理解することができる。また、取り付け位置の指示が文章により説明するものではなく、図示によって示すものであるから、使用者は図示部８２を見ただけで取り付け位置を直感的に理解することができる。したがって、使用者は、図示部８２に従って、紙おむつ５の適切な位置にセンサ装置１０を取りつけることができる。
【００６３】
（２）図示部８２は、紙おむつ５の形状を表す第一図形８３と、第一図形８３における取り付け位置に対応する部位にセンサ装置１０の形状を表す第二図形８４とを表示する。これにより、使用者は、図示部８２が表示する紙おむつ５とセンサ装置１０に対応するそれぞれの図形の関係から、紙おむつ５にセンサ装置１０を取り付ける位置と向きを理解することができる。したがって、使用者は、図示部８２に従って、紙おむつ５の適切な位置と向きにセンサ装置１０を取りつけることができる。
【００６４】
（３）紙おむつ５では、取り付け位置が、股下部５Ｂである。センサ装置１０が股下部５Ｂに取り付けられると、着用者が寝ている状態や座った状態であっても、センサ装置１０による着用者の皮膚の圧迫や摩擦が抑制されるため、床ずれの発症を防止できる。これは、股下部５Ｂは大腿部に挟まれた領域であり、この領域では、着用者が寝ている状態や座っている状態のときであってもセンサ装置１０から着用者の皮膚に生じる応力が小さいためと考えられる。また、股下部５Ｂは、吸収性物品４の着用時に着用者の尿道および肛門にそれぞれ位置する部分である、尿道口対向部と肛門対向部との略中間に位置する。このため、センサ装置１０により、固形排泄物および流動排泄物をバランスよく検知することができる。
【００６５】
（４）紙おむつ５は、センサ装置１０を取り付ける取り付け位置を案内する案内部５１を備えている。また、案内部５１は、センサ装置１０が股下部５Ｂに取り付けられるように案内する。これにより、紙おむつ５に対してセンサ装置１０を容易に且つ適切に股下部５Ｂに取り付けることができる。具体的には、案内部５１として表示された絵柄にセンサ装置１０を合わせるだけで、センサ装置１０を適切に股下部５Ｂに配置することができる。さらには、図示部８２で取り付け位置を確認した上で、さらに案内部５１に沿って取り付けを行うことで、より確実にセンサ装置を股下部５Ｂに取り付けることができる。同様に、案内部５１に凹部や折線といった案内構造が採用されている場合には、この案内構造に合わせてセンサ装置１０を配置するだけで、紙おむつ５に対してセンサ装置１０を適切に股下部５Ｂに取り付けることができる。さらには、案内部５１を利用して股下部５Ｂにセンサ装置１０を取り付けた紙おむつ５によれば、排泄物をバランスよく検知することができる。また、着用者の違和感およびセンサ装置１０に起因する床ずれを抑制できる。
【００６６】
（５）仮に、紙おむつの外表面（非肌面側の表面）にセンサ装置が取り付けられた場合には、紙おむつからセンサ装置が脱落しやすいものの、着用者に対するセンサ装置の違和感は抑えられる。一方、尿パッドの内表面（肌面側の表面）にセンサ装置が取り付けられた場合には、センサ装置が着用者に対して違和感を与えやすいものの、センサ装置の脱落は抑えられる。
これに対し、本実施形態のセンサ装置１０は、紙おむつ５に対して肌面側に配置されるため、外部に露出せず、紙おむつ５からの脱落が抑えられる。また、センサ装置１０は、尿パッド６の非肌面側に配置されるため、着用者に対して直接的に接触することがなく、着用者に対する違和感を抑えることができる。このように、紙おむつ５と尿パッド６との間に配置されたセンサ装置１０によれば、吸収性物品４に対するセンサ装置１０の確実な取り付けと着用者に対する違和感の抑制を両立することができる。
【００６７】
［３．その他］
上記説明では、電源ボタン７４およびインジケータ７５と、図示部８２とに挟まれた位置に、検出口８１が設けられている場合を例に挙げて説明した。検出口８１および図示部８２の位置関係はこれに限定されず、適宜変更してもよい。例えば、図５に示すように、ハウジング８０は、検出口８１を、第一図形８３における取り付け位置に対応する部位に有していてもよい。さらに、図示部８２が第一図形８３における取り付け位置に対応する部位に第二図形８４を表示するとともに、この第二図形８４の位置に検出口８１を設けてもよい。これにより、第一図形８３における取り付け位置に対応する部位を、検出口８１によって示すことができる。検出口８１は、ハウジング８０の一部に開口部として形成されており、さらには、検出口８１に設けられた検出部７２は、通常、ハウジング８０とは異なる素材で形成されている。このように、検出口８１は、ハウジング８０の一主面の他の部分とは形状または材質が異なるため、検出口８１を視認することで、その位置を容易に認識することができる。したがって、第一図形８３における検出口８１の位置から、取り付け位置を認識して、センサ装置１０を紙おむつ５の適切な位置に取り付けることができる。
【符号の説明】
【００６８】
１    報知システム
４    紙おむつ（吸収性物品）
５    紙おむつ（外装体）
５Ａ    前身頃
５Ｂ    股下部
５Ｃ    後身頃
６    尿パッド（内装体）
１０  センサ装置
５１    案内部
６０    取付部
７１    センサ部
７２    検出部（露出部位）
７３    バッテリ
７４    電源ボタン
７５    インジケータ
８０    ハウジング
８１    検出口
８２    図示部
８３    第一図形
８４    第二図形
１００    コンピュータ
１１０    演算部
１２０    メモリ
１２１    外部記憶装置
１２２    入力装置
１２３    出力装置
１２４    通信装置
１２５    バス
１２６    プログラム
１２７    記録媒体
１２８    オンラインストレージ
１３０    報知部
【図１】
2019141279.tif 000003
【図２】
2019141279.tif 000004
【図３】
2019141279.tif 000005
【図４】
2019141279.tif 000006
【図５】
2019141279.tif 000007